(57)【要約】【課題】イメージセンサユニットを支持するとともに、光路に対して結像レンズの光軸を一致させる高さ調整ねじを介して、イメージセンサユニットに伝達される振動を抑制し、また、高さ調整ねじの緩み止めを行う。【解決手段】レンズ取付台４６の雌ねじ部４６ａ，４６ｂ，４６ｃに螺合した３本の高さ調整ねじ６５，６６，６７のフランジ部６５ａ，６５ｂ，６５ｃに、イメージセンサユニット６０のレンズ取付板４８を乗せ、高さ調整ねじ６５，６６，６７により、光路に対する結像レンズ１３の光軸の位置調整を行う。雌ねじ部４６ａ，４６ｂ，４６ｃと、高さ調整ねじ６５，６６，６７の雄ねじ部との間に、防振剤を介在させる。この防振剤は、高さ調整ねじ６５，６６，６７の螺合前に塗布し、螺合後に硬化したときにはゴム状の弾性を発揮する。【選択図】図７
2008224928.tif 000002
【特許請求の範囲】
【請求項１】
原稿の画像面を光源によりライン状に照射し、前記ラインと前記原稿とが交差するように前記光源又は前記原稿を移動させ、前記光源から出射されて前記原稿の画像面で反射された反射光を結像レンズを通して固定撮像素子に導く画像読取装置において、
前記結像レンズが上面に固定されて前記結像レンズとともにレンズユニットを構成する取付ベースと、
前記レンズユニットが前記取付ベースを介して上方から取り付けられる取付台と、
前記取付ベースと前記取付台との間に介装されて、前記取付台に対し前記取付ベースを高さ調整可能に取り付ける第１の高さ調整機構と、を備え、
前記第１の高さ調整機構は、
前記取付台の上面の少なくとも３箇所に上下方向に螺刻された雌ねじ部と、
前記雌ねじ部に上方から螺合される雄ねじ部を下端側に有するとともに、上端側に前記取付ベースが載せられる載置部を有する複数の高さ調整ねじと、
前記高さ調整ねじの載置部に載せられた前記取付ベースを、前記載置部に押し付ける押圧部材と、
前記雌ねじ部と前記雄ねじ部との間に充填された防振剤と、を有し、
前記防振剤は、前記雌ねじ部に前記雄ねじを螺合する際に前記雌ねじ部又は前記雄ねじ部に塗工された液状又はペースト状の剤であって、硬化後にゴム状弾性体となる剤である、
ことを特徴とする画像読取装置。
【請求項２】
前記固体撮像素子を、前記結像レンズに対する高さ調整可能に前記取付ベースに取り付ける第２の高さ調整機構を有する、
ことを特徴とする請求項２に記載の画像読取装置。
【請求項３】
原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置において、
前記画像読取部に、請求項１又は２に記載の画像読取装置が配設されている、
ことを特徴とする画像形成装置。
【発明の詳細な説明】
【技術分野】
【０００１】
本発明は、点光源である複数の光源素子をライン状に整列させて構成した光源を有する画像読取装置、及びこれを備えた画像形成装置に関する。
【背景技術】
【０００２】
複写機，プリンタ，ファクシミリ等の画像形成装置において使用される画像読取装置は、光源によって原稿の画像面を照射し、その反射光を複数にミラーで折り返して結像レンズを介してＣＣＤ（固体撮像素子）に導く。この際、ミラーで折り返されて結像レンズに至る反射光の光路と、結像レンズの光軸とを一致させることが必須となる。
【０００３】
特許文献１では、高さ調整ねじを使用し、以下のようにして、反射光の光路と結像レンズの光軸とを合わせるようにしている。取付台の３箇所の雌ねじ部に上方から３本の高さ調整ねじを螺合する。高さ調整ねじは、頭部に六角孔を有しており、また、頭部における下端には大径のフランジ部が形成されている。結像レンズが固定された取付ベースを３本の高さ調整ねじの頭部に載せる。取付ベースには、３本の高さ調整ねじに対応する位置に、頭部は下方から貫通するが、フランジ部には引っかかる透孔が穿設されている。このため、取付ベースは、３本の高さ調整ねじのフランジ部に乗り、六角孔は取付ベースの上方に露出することになる。六角孔を利用して、取付ベースの上方から高さ調整ねじを正方向又は逆方向に適宜に回すことで、フランジ部、取付ベースを介して、簡単に結像レンズの高さ調整を行うことができる。高さ調整後には、板ばねを介して、取付ベースを３本の高さ調整ねじのフランジ部に押圧するようにしている。
【特許文献１】特開平１１−１８７２１８号公報
【発明の開示】
【発明が解決しようとする課題】
【０００４】
しかしながら、上述の従来技術によると、取付台に対して外部から振動や衝撃が加わった場合に、その振動等は、高さ調整ねじを介して結像レンズに伝達され、結像レンズの光軸がぶれて、読取画像にひずみが発生する。また、高さ調整ねじは、ねじやボルトをきつく締め付けて使用する場合とは異なり、取付台の雌ねじ部に螺合させ、そのフランジ部に取付ベースを乗せ、さらに板ばねで押圧して使用するため、振動等によって緩み、光路に対する結像レンズの光軸の精度を確保できなくなるおそれがある。なお、緩み防止には、高さ調整終了後に、緩み防止剤を塗工する技術が知られているが、一般的な緩み防止剤は、硬化するまでに時間がかかり（例えば、塗工後、一昼夜放置）、硬化する以前に他の組み立て作業を行った場合には、結像レンズの高さ調整後の位置を狂わせるおそれがあるため、その後の組み立て作業を、緩み止め防止剤の硬化まで待つことがあった。また、硬化後には硬くなるので、振動等を吸収するといった効果はほとんど期待できるものではなかった。
【０００５】
そこで、本発明は、硬化後にゴム状弾性体となる防振剤であって、硬化前には液状又はペースト状で短時間で硬化する防振剤を、取付台の雌ねじ部と高さ調整ねじの雄ねじ部との間に充填することにより、振動を抑制し、また高さ調整ねじの緩みを防止するようにした画像読取装置、及びこれを備えた画像形成装置を提供することを目的とするものである。
【課題を解決するための手段】
【０００６】
請求項１に係る発明は、原稿の画像面を光源によりライン状に照射し、前記ラインと前記原稿とが交差するように前記光源又は前記原稿を移動させ、前記光源から出射されて前記原稿の画像面で反射された反射光を結像レンズを通して固定撮像素子に導く画像読取装置に関する。この発明に係る画像読取装置は、前記結像レンズが上面に固定されて前記結像レンズとともにレンズユニットを構成する取付ベースと、前記レンズユニットが前記取付ベースを介して上方から取り付けられる取付台と、前記取付ベースと前記取付台との間に介装されて、前記取付台に対し前記取付ベースを高さ調整可能に取り付ける第１の高さ調整機構と、を備え、前記第１の高さ調整機構は、前記取付台の上面の少なくとも３箇所に上下方向に螺刻された雌ねじ部と、前記雌ねじ部に上方から螺合される雄ねじ部を下端側に有するとともに、上端側に前記取付ベースが載せられる載置部を有する複数の高さ調整ねじと、前記高さ調整ねじの載置部に載せられた前記取付ベースを、前記載置部に押し付ける押圧部材と、前記雌ねじ部と前記雄ねじ部との間に充填された防振剤と、を有し、前記防振剤は、前記雌ねじ部に前記雄ねじを螺合する際に前記雌ねじ部又は前記雄ねじ部に塗工された液状又はペースト状の剤であって、硬化後にゴム状弾性体となる剤である、ことを特徴としている。
【０００７】
請求項２に係る発明は、請求項２に係る画像読取装置において、前記固体撮像素子を、前記結像レンズに対する高さ調整可能に前記取付ベースに取り付ける第２の高さ調整機構を有する、ことを特徴としている。
【０００８】
請求項３に係る発明は、原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置に関する。この発明に係る画像形成装置は、前記画像読取部に、請求項１又は２に記載の画像読取装置が配設されている、ことを特徴としている。
【発明の効果】
【０００９】
請求項１の発明によれば、防振剤は、雌ねじ部に雄ねじを螺合する際に雌ねじ部又は雄ねじ部に塗工された液状又はゼリー状の部材であって、硬化後に弾性を発揮する部材であるので、塗工が容易であり、また、高さ調整後の硬化後には、結像レンズに伝達される揺れや振動を軽減するとともに、雄ねじの緩みも防止することができる。防振剤として、塗工後に硬化するまでの時間が、高さ調整に要する時間よりも長くかかるものを使用した場合には、防振剤を塗工した状態で、そのまま、高さ調整ねじを回して、高さ調整を継続することが可能である。
【００１０】
請求項２の発明によれば、第２の高さ調整機構によって、結像レンズに対する固体撮像素子の高さ調整を行った後に、結像レンズと固体撮像素子とを含むユニットとして、第１の調整機構により高さ調整を行うことができる。このため、組み立て工数の低減が可能である。
【００１１】
請求項３の発明によれば、画像形成装置として、上述の画像読取装置の効果を奏することができる。例えば、外部の振動が結像レンズに伝達されることに起因する読取不良が原因の画像不良を抑制することができる。
【発明を実施するための最良の形態】
【００１２】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００１３】
＜実施形態１＞
図１を参照して、本発明に係る画像読取装置７を備えた、本発明に係る画像形成装置１について説明する。同図は、画像形成装置１を正面側（画像形成装置１の使用時にユーザが位置する側）から見た模式図である。ここで、画像形成装置１としては、複写機，プリンタ，ファクシミリ，及びこれらの複合機等が挙げられるが、以下では、画像形成装置１がプリンタである場合を例に説明する。
【００１４】
画像形成装置１には、図１に示すように、シート給送部２と、画像形成部３と、定着部４と、シート排出部５、画像読取部６とが設けてある。
【００１５】
シート給送部２には、シートＰの搬送方向に沿っての上流側からほぼ順に、給紙カセット２ａ、給紙ローラ２ｂ、給送ローラ２ｃ、リタードローラ２ｄ、搬送ローラ対２ｅ、レジストローラ対２ｆ等が配設されている。給紙カセット２ａ内に積層状態で収納された複数枚のシートＰは、その最上位のものが、給紙ローラ２ｂによって給紙され、給送ローラ２ｃ及びリタードローラ２ｄによって重送を防止されて１枚だけ下流側に給送される。さらには搬送ローラ対２ｅによって、停止中のレジストローラ対２ｆに当接されて、斜行が矯正される。シートＰは、その後、画像形成部３の感光ドラム３ａ上に形成されたトナー像にタイミングを合わせるようにして、画像形成部３に供給される。
【００１６】
画像形成部３には、感光ドラム３ａ、帯電ローラ３ｂ、露光装置３ｃ、現像装置３ｄ、転写ローラ３ｅ、クリーニング装置３ｆ等が配設されている。感光ドラム３ａは、矢印方向（時計回り）に回転駆動され、その表面が帯電ローラ３ｂによって所定の極性・電位に一様に帯電される。帯電後の感光ドラム３ａは、露光装置３ｃによる露光を受け、露光部分の電荷が除去されて静電潜像が形成される。この露光は、後述する画像読取装置７によって読み取られた原稿の画像情報に基づいて行われる。感光ドラム３ａ上に形成された静電潜像は、現像装置３ｄによってトナーが付着されてトナー像として現像される。このトナー像は、感光ドラム３ａと転写ローラ３ｅとの間に形成される転写ニップ部において、上述のシート給送部２から供給されたシートＰに転写される。トナー像転写後の感光ドラム３ａは、表面に残ったトナー（転写残トナー）がクリーニング装置３ｆによって除去され、次の画像形成に供される。
【００１７】
定着部４には、定着ローラ４ａ、加圧ローラ４ｂが配設されている。定着ローラ４ａは、ヒータ（不図示）によって加熱されるとともに矢印方向（反時計回り）に回転する。一方、加圧ローラ４ｂは、定着ローラ４ａに押圧されて、定着ローラ４ａとの間に定着ニップ部を形成している。上述の画像形成部３で表面にトナー像が転写されたシートＰは、定着ニップ部を通過する際に、加熱・加圧されて表面にトナー像が定着される。
【００１８】
シート排出部５には、排紙ローラ対５ａと排紙トレイ５ｂとが配設されている。トナー像定着後のシートＰは、排紙ローラ対５ａによって、排紙トレイ５ｂ上に排出される。
【００１９】
画像読取部６には、画像読取装置７が配設されている。画像読取装置７は、コンタクトガラス１８上に画像面を下方に向けて載置された原稿（図６参照）を原稿押圧板１９によって上方から押圧して画像面をコンタクトガラス１８に密着させ、後述する光源１０によって画像面を照射し、そのときの反射光に基づいて画像を読み取るものである。
【００２０】
図２〜図５を参照して、画像読取装置７について説明する。ただし、これらの図においては、原稿押圧板１９は図示を省略している。図２〜図５のうち、図２，図３は、画像読取装置７の縦断面を正面側（前側）から見た図であり、さらに、図２は光学系を、また図３は駆動系を説明する図である。図４，図５は、光源１０と原稿のサイズと画像読取時の原稿の位置との関係を説明する上面図であり、さらに、図４は原稿サイズがＡ列，Ｂ列である場合を、また図５は原稿サイズがインチサイズである場合を示している。なお、以下の説明では、図２〜図５中における左右を、画像読取装置７の左右として、また図２，図３中における上下を、画像読取装置７の上下として、また図４，図５中における下、上をそれぞれ画像読取装置７の前、後として説明する。さらに、図４，図５中における原稿の上下方向の長さを通紙幅（又は単に「幅」）、左右方向の長さを搬送方向長さ（又は単に「長さ」）とする。
【００２１】
図３に示すように、画像読取装置７は、照明装置８と結像レンズ１３とＣＣＤ（固体撮像素子）１４とを備えている。さらに、照明装置８は、光源１０と駆動装置（移動装置）１５とを備えている。これら光源１０、駆動装置１５、照明装置８、結像レンズ１３、ＣＣＤ１４は、いずれも直方体状の筐体（フレーム）１６の内側に配設されている。筐体１６は、その上面に開口部１７を有していて、この開口部１７には、透明なコンタクトガラス１８が配設されている。コンタクトガラス１８の上方には、開閉自在な原稿押圧板１９（図１参照）が配設されている。原稿押圧板１９は、閉鎖状態では、コンタクトガラス１８上に載置された原稿を上方からコンタクトガラス１８の上面に押し付けるようになっている。一方、開放状態においては、コンタクトガラス１８に原稿を載置し、またコンタクトガラス１８上に載置された原稿を取り除くことができるようになっている。
【００２２】
図４，図５に示すように、コンタクトガラス１８は、その上面に載置されるシート状の原稿のうちの、サイズが最大の原稿よりも大きい長方形状に形成されている。コンタクトガラス１８における、左端には前後方向に長い左指示板２０が、また後端及び前端には、それぞれ左右方向に長い後指示板２１、前指示板２２が配設されている。左指示板２０の後端と後指示板２１の左端とが交差する位置が、読取基準位置Ｐ０１となっている。コンタクトガラス１８に載置される原稿は、その１つの角部、すなわち左端でかつ後端に位置する角部（基準の角部）をこの読取基準位置Ｐ０１に合わせた位置（所定の位置）に載置される。図４，図５においては、基準の角部を読取基準位置Ｐ０１に合わせた状態の種々のサイズの原稿を図示している。ここで、各サイズの原稿における、基準の角部の対角に相当する位置には、それぞれの原稿のサイズ、及び向きを表示してある。例えば、図４中のＢ５，Ａ４は、それぞれの原稿における「長辺」を左指示板２０に合わせたときの原稿の位置を示す。以下、これを原稿の「横置き」という。また、Ｂ５Ｒ，Ａ４Ｒは、それぞれの原稿における「短辺」を左指示板２０に合わせたときの原稿の位置を示している。以下、この「Ｒ」が付されたものを原稿の「縦置き」といって、「横置き」とは区別している。なお、これに従うと、図４中の「Ｂ４」，「Ａ３」については、本来、「Ｂ４Ｒ」，「Ａ３Ｒ」と表記すべきものであるが、これらのサイズの原稿は、横置きすることができず、つまり、一通りの置き方しかできず、区別する必要がないので、簡略化して表記している。
【００２３】
上述の「Ｂ５」，「Ｂ５Ｒ」，「Ａ４」，「Ａ４Ｒ」，「Ｂ４」，「Ａ３」等の表記は，実際は、コンタクトガラス１８上ではなく、左指示板２０及び後指示板２１に表記されている。例えば、左指示板２０における符号Ｐ１，Ｐ２，Ｐ３，Ｐ４で示す位置には、この順に「Ｂ５Ｒ」，「Ａ４Ｒ」，「Ｂ５，Ｂ４」，「Ａ４，Ａ３」という表記がなされている。一方、後指示板２１における符号Ｐ５，Ｐ６，Ｐ７，Ｐ８で示す位置には、この順に「Ｂ６Ｒ，Ｂ５」，「Ａ５Ｒ，Ａ４」，「Ｂ５Ｒ」，「Ａ４Ｒ」という表記がなされている。これにより、ユーザは、原稿をコンタクトガラス１８上の所定の位置に載置したときに、その原稿サイズ及び向きを知ることができる。したがって、例えば、原稿の画像読取り結果に基づいて複写機やプリンタによって紙等のシート上に画像を形成するような場合には、画像形成に供されるシートのサイズや向きを選択する際の参考とすることができる。なお、図５中では、原稿サイズを、インチサイズで表示している。図４中のコンタクトガラス１８における、「Ａ４，Ａ３」の通紙幅よりも少し広い幅が、画像の最大読取幅（最大照射幅）となり、また図５中のコンタクトガラス１８における、「１１×１７」の搬送長さよりも少し長い範囲が、画像の最大読取長さ（最大照射長さ）となる。後述する光源１０は、最大読取幅と最大読取長さとに囲まれた最大読取領域全体を照射することができるようになっている。
【００２４】
図２〜図５に示すように、コンタクトガラス１８の左端側の下方には、照明用光学移動枠ユニット２３が配設されている。照明用光学移動枠ユニット２３は、上述の最大読取幅よりも前後方向の長さが長い移動枠２４を有している。この移動枠２４には、光源１０と、凹面鏡２６と、第１ミラー２７が搭載されている。このうち光源１０は、図４，図５に示すように、前後方向の長さが、最大読取幅よりも長くなるように形成された基板１２と、その上面に取り付けられた光源素子（点光源）としての複数（本実施形態では２２個）のＬＥＤ素子１１とによって構成されている。なお、以下の説明では、ＬＥＤ素子１１を区別する場合には、ＬＥＤ素子Ｌ１〜Ｌ２２とする。ＬＥＤ素子１１（Ｌ１〜Ｌ２２）は前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿の画像面を光量ムラなく照射できる所定のピッチＰ（本実施形態では例えば１５ｍｍ）で整列されている。図４，図５において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図４に示す例では、通紙幅が最大のＡ４サイズの原稿の長辺（＝２９７ｍｍ）、又はＡ３サイズの原稿の短辺（＝２９７ｍｍ）が入るように、また図５に示す例では、長辺又は短辺の長さが１１インチ（≒２７９ｍｍ）の原稿の長辺又は短辺が入るように設定されている。複数のＬＥＤ素子Ｌ１〜Ｌ２２、及び基板１２によって構成された光源１０は、図２に示すように、コンタクトガラス１８の上面に設定されている読取ラインＬを右斜め下方から照射するようになっている。
【００２５】
図２に示すように、凹面鏡２６は、読取ラインＬから下ろした垂線ｈに対して、上述の光源１０とほぼ線対称の位置に配置されている。上述のように、光源１０は、コンタクトガラス１８上の原稿を右斜め下方から照射しているため、原稿の左端に影が形成されて、この影が前後方向の直線上の画像として読み込まれがちである。凹面鏡２６は、光源１０からの光を反射して読取ラインＬに導いて、この影を除去するためのものである。照明用光学移動枠ユニット２３における、読取ラインＬの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１０、凹面鏡２６、第１ミラー２７を搭載した状態で、左右方向に敷設したガイド部材２５に沿って左右方向に移動できる。つまり、ライン状（線状）の光源１０に対して、直交する方向に移動することができるようになっている。この照明用光学移動枠ユニット２３は、右方に移動しながら読取ラインＬに向けて光源１０から光を照射し、原稿の画像面からの反射光を次に説明する第２ミラー２８に導くものである。
【００２６】
図２，図３に示すように、コンタクトガラス１８の左端側の下方には、上述の照明用光学移動枠ユニット２３の左方に、反射用光学移動枠ユニット３０が配設されている。反射用光学移動枠ユニット３０は、上述の最大読取幅よりも前後方向の長さが長い移動枠３１を有している。この移動枠３１には、右斜め下４５度を向けた状態で第２ミラー２８が、また右斜め上４５度を向けた状態で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設されたガイド部材２５に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００２７】
図３に示すように、筐体１６の左端近傍には前端と後端とに固定左プーリ３４，３４が、また筐体１６の右端近傍には前端と後端とに固定右プーリ３５，３５がそれぞれ回動自在に配設されている。また、図３中の固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台（取付台）４６上に突設されたフック４７に係止される。このような光学ワイヤ４３，４３の引き回しに基づき、モータ３６が図３中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、コンタクトガラス１８から結像レンズ１３に至る光路長（光路Ｋの長さ）が一定に保持されて、次に説明する結像レンズ１３を通過した光がＣＣＤ１４上で像を結ぶようになっている。なお、本実施形態では、上述のように光源１０を移動させるための構成全体が駆動装置（移動装置）に相当する。
【００２８】
図３に示すように、結像レンズ１３は、上述のレンズ取付台４６に固定されたレンズ取付板（取付ベース）４８上に固定されている。光源１０から照射された光は、原稿の画像面で反射されて、図２に示す光路Ｋをたどる。すなわち、画像面からの反射光は、第１ミラー２７、第２ミラー２８、第３ミラー３２で反射されて結像レンズ１３に入射される。入射された光は、次に説明するＣＣＤ１４上で結像される。
【００２９】
ＣＣＤ１４は、その左端面に固定されて上端部５０が左方に折曲されたＣＣＤ取付板５１を介してＣＣＤ調整板５２に取り付けられている。ＣＣＤ調整板５２は、「コ」字形に形成されていて、レンズ取付板４８に固定されている。ＣＣＤ調整板５２の前端部と後端部には、内径に雌ねじが螺刻されたボス５３，５３が固定されていて、これらのボス５３，５３には、ＣＣＤ取付板５１の上端部５０を貫通したピン５４，５４が螺合されている。さらに、ＣＣＤ取付板５１とＣＣＤ調整板５２との間には、圧縮ばね５５，５５が介装されていて、ＣＣＤ取付板５１を上方に付勢している。この状態で、ピン５４，５４を時計回りあるいは反時計回りに回すことで、ＣＣＤ取付板５１を介してＣＣＤ１４の高さ位置を微調整することができる。この微調整をＣＣＤ１４の前端部及び後端部で行うことで、ＣＣＤ１４の上下方向の位置調整を行うことができるようになっている。この位置調整は、結像レンズ１３に対してＣＣＤ１４の位置を調整するものである。なお、本実施形態では、ＣＣＤ取付板５１、ピン５４、圧縮ばね５５によって第２の高さ調整機構７６を構成している。
【００３０】
図６に、上述の図２，図３で説明した画像読取装置７の概略を模式的に示す。なお、同図では、原稿押圧板１９は、図示を省略している。同図に示すように、画像読取装置７は、コンタクトガラス１８に載置された原稿Ｇを、光源１０により読取ラインＬに沿って主走査しつつ、照明用光学移動枠ユニット２３及び反射用光学移動枠ユニット３０を右方に移動させることにより副走査方向に走査する。これにより、原稿Ｇの画像面全体を走査することができ、このときの反射光を、第１ミラー２７，第２ミラー２８，第３ミラー３２によって結像レンズ１３を介して、ＣＣＤ１４に導く。これにより、原稿Ｇの画像を読み取ることができる。この読取り結果に基づいて、上述の露光装置３ｃにより感光ドラム３ａ上に静電潜像を形成するようになっている。
【００３１】
本実施形態では、結像レンズ１３とＣＣＤ１４とを一体にしてイメージセンサユニット６０を構成している。図２に示すレンズ取付板４８に結像レンズ１３を固定し、さらに、このレンズ取付板４８に、ＣＣＤ調整板５２を介してＣＣＤ１４を取り付けることで、全体としてイメージセンサユニット６０を構成し、このイメージセンサユニット６０をレンズ取付台４６に取り付けるようにしている。この際、第３ミラー３２で反射された反射光の光路Ｋに対して、結像レンズ１３の光軸Ｃが一致するように、イメージセンサユニット６０の高さ調整を以下のようにして行うようにしている。
【００３２】
図７は、イメージセンサユニット６０をレンズ取付台４６から上方に取り外した状態を示す斜視図である。また、図８は、イメージセンサユニット６０をレンズ取付台４６に取り付けた状態を示す斜視図である。
【００３３】
図７に示すように、レンズ取付台４６は、画像読取装置７の筐体１６（図２，図３参照）に固定された取付枠４９の内側に配設されている。レンズ取付台４６は、取付枠４９の内側における下部の左端側に、前後方向に向けて固定されている。また、取付枠４９における左側に位置する面には、第３ミラー３２で反射されて結像レンズ１３に向かう反射光が通過するための窓４９ａが前後方向に長くあけられている。レンズ取付台４６には、上下方向に向けて３つの雌ねじ部４６ａ，４６ｂ，４６ｃが螺刻されている。このうち雌ねじ部４６ａは、レンズ取付台４６の前後方向の中心における左端側に配置されている。一方、雌ねじ部４６ｂ，４６ｃは、雌ねじ部４６ａよりも右側で、かつ前後方向の中心から振り分けるようにして後側及び前側に配置されている。これら雌ねじ部４６ａ，４６ｂ，４６ｃには、それぞれ高さ調整ねじ６５，６６，６７が螺合されている。高さ調整ねじ６５，６６，６７は、下端側に上述の雌ねじ部４６ａ，４６ｂ，４６ｃに螺合される雄ねじ部６５ｃ，６６ｃ，６７ｃ（図９参照）を有し、上端側に六角形状の頭部６５ｂ，６６ｂ，６７ｂを有し、これら頭部６５ｂ，６６ｂ，６７ｂの下端にこれらよりも大きいフランジ部（載置部）６５ａ，６６ａ，６７ａを有している。これらフランジ部６５ａ，６６ａ，６７ａは、後述するように、レンズ取付板４８が乗せられることになる。
【００３４】
図７に示すように、レンズ取付板４８には、上述の高さ調整ねじ６５，６６，６７に対応する位置に、それぞれ透孔４８ａ，４８ｂ，４８ｃが穿設されている。これら透孔４８ａ，４８ｂ，４８ｃは、高さ調整ねじ６５，６６，６７の頭部６５ｂ，６６ｂ，６７ｂは下方から通り抜けることができるが、フランジ部６５ａ，６６ａ，６７ａは、通り抜けることができないように形成されている。つまり、透孔４８ａ，４８ｂ，４８ｃの周縁部がフランジ部６５ａ，６６ａ，６７ａに乗っかるようになっている。この状態で、頭部６５ｂ，６６ｂ，６７ｂの上端側が、レンズ取付板４８の上面よりも上方に突出するようになっている。ここで、右側に位置する２本の高さ調整ねじ６６，６７の上方には、ＣＣＤ調整板５２の前端側及び後端側が被さるように配置されているが、ＣＣＤ調整板５２における高さ調整ねじ６６，６７の直上に位置する部分には、大きな透孔５２ｂ，５２ｃが穿設されている。このため、イメージセンサユニット６０の高さ調整を行う際には、レンズ取付板４８を、高さ調整ねじ６５，６６，６７のフランジ部６５ａ，６６ａ，６７ａの乗せたままの状態で、上方から工具により、頭部６５ｂ，６６ｂ，６７ｂを回すことができるようになっている。３箇所の高さ調整ねじ６５，６６，６７を右回り、又は左回りに適宜に回すことで、レンズ取付板４８を介して、結像レンズ１３の光軸Ｃを、光路Ｋに合わせることができる。なお、例えば、透孔４８ａ，４８ｂ，４８ｃを左右方向に長い長孔に形成し、さらに透孔４８ａの前後方向の長さについては、高さ調整ねじ６５の頭部６５ｂが少し移動できる程度の余裕を持たせておけば、レンズ取付台４６に対して、イメージセンサユニット６０を前後方向に微調整したり、また、透孔４８ａのある左端側、つまり結像レンズ１３の先端側を前後方向に振って（揺動させて）位置調整することが可能となる。
【００３５】
上述ようにして、イメージセンサユニット６０を、レンズ取付台４６に対して位置決めした後、レンズ取付板４８の左端側，後端側，前端側をそれぞれ押さえ金具（押圧部材）７０，７１，７２によって固定する。押さえ金具７０，７１，７２は、上端にフック７０ａ，７１ａ，７２ａを有していて、これらフック７０ａ，７１ａ，７２ａをレンズ取付板に引っ掛けて、下端側をねじ（不図示）でレンズ取付台４６に固定する。各フック７０ａ，７１ａ，７２ａは、基端側に対して先端側が下方に位置するように傾斜して屈曲されており、下端側がレンズ取付大４６に固定された際に、レンズ取付板４８の左端側，後端側，前端側をそれぞれ弾性的に下方に付勢するようになっている。つまり、各押さえ金具７０，７１，７２は、レンズ取付板４８を、その先端側，後端側，前端側をそれぞれ高さ調整ねじ６５，６６，６７のフランジ部６５ａ，６６ａ，６７ａに押し付けるようにして、レンズ取付台４６に固定している。
【００３６】
上述構成の画像読取装置７において、例えば、画像の読取中に外部から振動や衝撃が加わると、これら振動，衝撃は、レンズ取付台４６から３本の高さ調整ねじ６５，６６，６７を介して、イメージセンサユニット６０に伝達され、これにより、結像レンズ１３の光軸Ｃがぶれる。そして、光軸Ｃがぶれると、ＣＣＤ１４で読み取った画像がひずんでしまう。
【００３７】
そこで、本実施形態では、図９に示すように、レンズ取付台４６の雌ねじ部４６ａ，４６ｂ，４６ｃと、高さ調整ねじ６５，６６，６７との間に防振剤７３を介在させるようにした。以下この点について詳述する。なお、本実施形態では、図７に示すように、後述するレンズ取付台４６の雌ねじ部４６ａ，４６ｂ，４６ｃ、これに螺合される高さ調整ねじ６５，６６，６７、レンズ取付板４８に穿設された透孔４８ａ，４８ｂ，３８ｃ等によって第１の高さ調整機構７５を構成している。
【００３８】
ここで、図１０，図１１に示すように、高さ調整ねじ６５，６６，６７の雄ねじ部６５ｃ，６６ｃ，６５ｃにおける、ねじ山を境に、これよりも上に位置する面（上方を向いた面）をねじ面ｍ１，下に位置する面をねじ面ｍ２とする。すると、高さねじ６５，６６，６７によって、イメージセンサユニット６０をレンズ取付台４６に固定した状態においては、イメージセンサユニット６０の重量が各高さ調整ねじ６５，６６，６７にかかるため、下向きのねじ面ｍ２がレンズ取付台４６の雌ねじ部４６ａ，４６ｂ，４６ｃに乗るような状態となる。この状態で、レンズ取付台４６の振動等が加わると、高さ調整ねじ６５，６６，６７は振動して、図１０，図１１に示すように、下向きのねじ面ｍ２が雌ねじ部４６の上向き面ｆ２から離れたり、上向きのねじ面ｍ１が雌ねじ部４６ａ，４６ｂ，４６ｃの下向き面ｆ１に当たったりする挙動を繰り返す。この高さ調整ねじ６５，６６，６７の振動は、レンズ取付板４８を介して結像レンズ１３に伝達されて、結像レンズ１３の光軸Ｃが光路Ｋからずれることになる。
【００３９】
そこで、本実施形態では、図９に示すように、各高さ調整ねじ６５，６６，６７と雌ねじ部４６ａ，４６ｂ，４６ｃとの間に、弾性を有する防振剤７３を介在させるようにした。
【００４０】
本実施形態では、この防振剤７３として、使用直後は液体又はペースト状を呈していて、硬化後にゴム状の弾性体となる剤を使用した。このような剤としては、弾性接着剤として市販されている接着剤を使用することができる。具体的には、セメダイン（会社名）製の一液形弾性接着剤（ＰＭ１００，ＰＭ１５５，ＰＭ１６５：いずれも商品名）や二液形弾性接着剤（（例えば、ＰＭ２００，ＰＭ２１０，ＥＰ００１：いずれも商品名）を使用することができる。上述の一液形弾性接着剤は、変性シリコーン樹脂を主成分とするものであり、二液形弾性接着剤は、エポキシ樹脂を主剤とし、変性シリコーン樹脂を硬化剤とするものである。上述の弾性接着剤はいずれも、温度２３℃における張り合わせ時間が１０〜３０分とされており、従来のペイントロックが塗布後、１昼夜放置する場合と比較して、極めて短時間で硬化することがわかる。上述の弾性接着剤のうち、ＥＰ０１は、振動部、応力変化の大きい箇所の接着に適しているとされている。ここで、ＥＰ００１の物性値等について記載しておく。製品形態は、二液形速効タイプである。主成分は、主剤がエポキシ樹脂（無色液体）であり、硬化剤が変性シリコーン（淡黄色液体）である。粘度は、主剤が１５（Ｐａ・ｓ／２３℃）であり、硬化剤が１８（Ｐａ・ｓ／２３℃）である。標準混合比は、重量比で、主剤：硬化剤＝１：１である。作業性については、張り合わせ可能時間（２３℃）が１０分、可使時間（２３℃、２００ｇ混合）が２０分である。硬化後の引っ張りせん断接着強さ（ＡＩ×ＡＩ）が１０．８Ｎ／ｍｍ２、Ｔ形剥離接着強さ（ＡＩ×ＡＩ）が４．３０Ｎ／ｍｍ、伸びが２００％、硬さ（ショアーＡ）が７８である。
【００４１】
本実施形態では、例えば、上述の二液形弾性接着剤を混合し、レンズ取付台４６の雌ねじ部４６ａ，４６ｂ，４６ｃ、又は高さ調整ねじ６５，６６，６７の雄ねじ部６５ｃ，６６ｃ，６７ｃに塗布する。その後、雄ねじ部６５ｃ，６６ｃ，６７ｃを雌ねじ部４６ａ，４６ｂ，４６ｃに螺合させる。フランジ部６５ａ，６６ａ，６７ａにイメージセンサユニット６０のレンズ取付板４８を乗せる。この状態で、３本の高さ調整ねじ６５，６６，６７を回して、イメージセンサユニット６０の高さ調整を行って、結像レンズ１３の光軸Ｃを光路Ｋに合わせる。以上の作業を、二液形弾性接着剤の塗布後、硬化前に終了する。二液弾性接着剤は、硬化後には、図９に示すように、雌ねじ部４６ａ，４６ｂ，４６ｃと、雄ねじ部６５ｃ，６６ｃ，６７ｃとの間で、弾性を有する防振剤７３となる。また、本実施形態では、弾性を有する防振剤７３が、雌ねじ部４６ａ，４６ｂ，４６ｃと、雄ねじ部６５ｃ，６６ｃ，６７ｃとの間に入り込むんで、両者が直接、接触するのを防止することができるので、雌ねじ部４６ａ，４６ｂ，４６ｃから雄ねじ部６５ｃ，６６ｃ，６７ｃに伝達される振動等を緩和することができる。さらに、防振剤７３は、高さ調整ねじ６５，６６，６７の緩み止めとしても有効に作用する。また、本実施形態では、上述のように、防振剤７３が比較的短時間で硬化し、硬化後には、レンズ取付台４６に対するイメージセンサユニット６０の位置がずれることがないので、例えば、イメージセンサユニット６０に振動等が加わるような組み立て作業を、二液形弾性接着剤の塗布後の比較的短時間後に行うことが可能となり、組み立て作業の作業性を向上させることができる。
【００４２】
上述のように、本実施形態では、レンズ取付台４６は、３本の高さ調整ねじ６５，６６，６７によって、イメージセンサユニット６０を支持している。つまり、３本の高さ調整ねじ６５，６６，６７は、光路Ｋに対する結像レンズ１３の光軸Ｃの高さ位置を精度よく微調整するのに使用されるとともに、支持部材としても機能している。すなわち、高さ調整ねじ６５，６６，６７が支持部材であると考えると、外部の振動がこれらを介してイメージセンサユニット６０に伝達されることを避けることはできず、一方、結像レンズ１３の光軸Ｃの高さ位置を高精度に設定する部材であることを考えると、振動等が伝達されることは好ましくない。このような高さ調整ねじ６５，６６，６７に対して、上述のような防振剤７３、すなわち硬化後にゴム状の弾性を発揮する防振剤７３を適用することは、高さ調整ねじ６５，６６，６７の緩み止め、及び防振の観点から極めて有効である。さらに、防振剤７３は、上述のように比較的短時間で硬化するので、組み立て作業に対する制約も少なくすることができる。
【００４３】
以上の説明では、光源１０が複数のＬＥＤ素子１１及び基板１２によって構成されている場合を例に説明したが、本発明は、これに代えて、光源１０として前後方向（主走査方向）に長い棒状のキセノンランプやハロゲンランプ等を使用することも可能である。
【００４４】
また、上述では、結像レンズ１３とＣＣＤ１４とレンズ取付板４８とを一体にして、イメージセンサユニット６０を構成し、このイメージセンサユニット６０を、レンズ取付台４６に取り付ける場合を例に説明した。これに代えて、図６に示すように、結像レンズ１３とレンズ取付板４８とによってレンズユニット７４を構成し、このレンズユニット７４を、レンズ取付台４６に取り付ける場合も、上述と同様である。この場合には、レンズユニット７４をレンズ取付台４６に位置決め固定した後に、レンズ取付板４８に対して、上述のようにしてＣＣＤ１４を取り付けるようにすればよい。
【産業上の利用可能性】
【００４５】
上述では、硬化後にゴム状の弾性を発揮する防振剤を、画像読取装置における結像レンズの高さ調整ねじに用いる例を説明したが、これに限らず、防振及び緩み止めが必要な一般的な場合についても同様に適用することができる。
【図面の簡単な説明】
【００４６】
【図１】画像形成装置の縦断面を正面側（前側）から見て模式的に示す図である。
【図２】画像読取装置の縦断面を正面側（前側）から見た図であり、光学系を説明する図である。
【図３】画像読取装置の縦断面を正面側（前側）から見た図であり、駆動系を説明する図である。
【図４】光源１０と原稿のサイズと画像読取時の原稿の位置との関係を説明する上面図であり、原稿サイズがＡ列，Ｂ列である場合を説明する図である。
【図５】光源１０と原稿のサイズと画像読取時の原稿の位置との関係を説明する上面図であり、原稿サイズがインチサイズである場合を説明する図である。
【図６】画像読取装置の縦断面を正面側（前側）から見て模式的に示す図である。
【図７】イメージセンサユニットをレンズ取付台から上方に取り外した状態をしめす斜視図である。
【図８】イメージセンサユニットをレンズ取付台に取り付けた状態を示す斜視図である。
【図９】レンズ取付台の雌ねじ部と高さ調整ねじの雄ねじ部との間に介在された、ゴム状の弾性を有する防振剤を説明する図である。
【図１０】振動が加わったときの高さ調整ねじの挙動を説明する図である。
【図１１】振動が加わったときの高さ調整ねじの挙動を説明する図である。
【符号の説明】
【００４７】
１……画像形成装置、２……シート給送部、３……画像形成部、４……定着部、５……シート排出部、６……画像読取部、７……画像読取装置、１０……光源、１１……ＬＥＤ素子（光源素子）、１２……基板、１３……結像レンズ、１４……ＣＣＤ（個体撮像素子）、４６……レンズ取付台（取付台）、４６ａ，４６ｂ，４６ｃ……雌ねじ部、４８……レンズ取付板(取付ベース)、６０……イメージセンサユニット、６５，６６，６７……高さ調整ねじ、６５ａ，６６ａ，６７ａ……フランジ部（載置部）、６５ｃ，６６ｃ，６７ｃ……雄ねじ部、７０，７１，７２……押さえ金具（押圧部材）、７４……レンズユニット、７５……高さ調整機構、７６……第２の高さ調整機構、Ｇ……原稿
【図１】
2008224928.tif 000003
【図２】
2008224928.tif 000004
【図３】
2008224928.tif 000005
【図４】
2008224928.tif 000006
【図５】
2008224928.tif 000007
【図６】
2008224928.tif 000008
【図７】
2008224928.tif 000009
【図８】
2008224928.tif 000010
【図９】
2008224928.tif 000011
【図１０】
2008224928.tif 000012
【図１１】
2008224928.tif 000013